(57)【要約】      （修正有）【課題】保守点検性が向上したドクターブレードの枢転取付法及び、機能性を犠牲にしない枢転取付法のための単純な構造体の提供。【解決手段】ドクターブレード１と、該ドクターブレードを保持するブレード保持部２と、製紙機械の枠体に取り付けられた支持部材３とを有する製紙機械用のドクターブレード組立体に関する。本発明の重要な特徴は、前記ブレード保持部２と前記支持部材３との間に、該支持部材３に適合するように作られた別体の枢転取付部４が配され、該枢転取付部を外側に引くことによって枢転取付部を取り外すことが出来ることである。【選択図】図１
2010242283.tif 000002
【特許請求の範囲】
【請求項１】
ドクターブレード（１）と、該ドクターブレードを保持するブレード保持部（２）と、製紙機械の枠体に取り付けられた支持部材（３）とを有する製紙機械用のドクターブレード組立体であって、前記ブレード保持部（２）と前記支持部材（３）とが、該支持部材（３）に適合するように作られた別体の枢転取付部（４）によって、該枢転取付部を外側に引くことによって枢転取付部を取り外すことが出来るように接続されることを特徴とするドクターブレード組立体。
【請求項２】
前記枢転取付部（４）が、最も好ましくは、１つの壁を機械加工して、溝又は斜角を付けた凹部等の孔を有するように開いた、軸、棒又は軸受筒等の管状部材（５）を有することを特徴とする、請求項１に記載のドクターブレード組立体。
【請求項３】
前記枢転取付部（４）において機能する前記管状部材（５）が、最も好ましくは、実質的にＣ形の断面を有する中空体であることを特徴とする、請求項１又は２に記載のドクターブレード組立体。
【請求項４】
前記枢転取付部（４）の前記管状部材（５）が、軸線が前記ドクターブレード（１）に実質的に平行になるように前記ブレード保持具（２）に形成された空洞（６）に入れられ、前記製紙機械の枠体に取り付けられた前記支持部材（３）の端部（８）が前記Ｃ形の管状部材（５）の前記孔（７）に挿入され、このようにして、前記支持部材（３）が、前記製紙機械の枠体とは別体である前記枢転取付部（４）によってドクターブレード組立体が支持されるのを可能にする、製紙機械の一体型部品となることを特徴とする、請求項１〜３のいずれか一項に記載のドクターブレード組立体。
【請求項５】
前記製紙機械の枠体に取り付けられた前記支持部材（３）の前記端部（８）が前記管状部材（５）の前記孔（７）に座するように、最も好適には、該孔の上方面と下方面との間に形成される顎部に挟み込まれるように、前記枢転取付部（４）の前記Ｃ形の管状部材（５）の前記孔（７）の大きさが定められることを特徴とする、請求項１〜４のいずれか一項に記載のドクターブレード組立体。
【請求項６】
前記支持部材（３）の前記端部（８）が、前記Ｃ形の管状部材（５）の前記孔（７）に適合するように設計された溝、凹部若しくは同様の斜角を付けた面を備えている、又は該端部（８）が別体の複数の挿入部材（９）によって置き換えられることを特徴とする、請求項１〜５のいずれか一項に記載のドクターブレード組立体。
【請求項７】
軸、棒又は軸受筒等の半加工品から加工形成される前記管状部材（５）が、金属、繊維強化複合体、重合体又はこのような材料のあらゆる組合せ等の様々な材料から選択されて作られることを特徴とする、請求項１〜６のいずれか一項に記載のドクターブレード組立体。
【請求項８】
前記端部（８）の断面形状が、実質的に円形、楕円形、或いは三角形、四角形若しくは多角形等の多面形、又は実質的に平坦な形状であり、該端部の表面には、前記管状部材（５）の前記孔（７）に該端部（８）を留め付ける複数の溝が設けられていることを特徴とする、請求項１〜７のいずれか一項に記載のドクターブレード組立体。
【請求項９】
前記ドクターブレード（１）の前記ブレード保持具（２）の断面が、最も好適には、前記管状部材（５）を収容する前記空洞（６）を形成するように、１以上のシート状の半加工品を折り曲げることによって作られることを特徴とする、請求項１〜８のいずれか一項に記載のドクターブレード組立体。
【請求項１０】
ドクターブレード（１）と、該ドクターブレードを保持するブレード保持部（２）と、製紙機械の枠体に取り付けられた支持部材（３）とを有する製紙機械用のドクターブレード組立体の保守点検性を向上させる方法であって、前記ブレード保持部（２）と前記支持部材（３）との間に、該支持部材（３）に適合するように作られた別体の枢転取付部（４）が配され、該枢転取付部を外側に引くことによって枢転取付部を取り外すことが出来ることを特徴とする方法。
【請求項１１】
前記枢転取付部（４）の前記管状部材（５）が、軸線が前記ドクターブレード（１）に実質的に平行になるように前記ブレード保持具（２）に形成された空洞（６）に入れられ、前記製紙機械の枠体に取り付けられた前記支持部材（３）の端部（８）が前記Ｃ形の管状部材（５）の前記孔（７）に挿入され、このようにして、前記支持部材（３）が、前記製紙機械の枠体とは別体である前記枢転取付部（４）によってドクターブレード組立体が支持されるのを可能にする、製紙機械の一体型部品となることを特徴とする、請求項１０に記載の方法。
【請求項１２】
前記製紙機械の枠体に取り付けられた前記支持部材（３）の前記端部（８）が前記管状部材（５）の前記孔（７）に座するように、最も好適には、該孔の上方面と下方面との間に形成される顎部に挟み込まれるように、前記枢転取付部（４）の前記Ｃ形の管状部材（５）の前記孔（７）の大きさが定められることを特徴とする、請求項１０又は１１に記載の方法。
【請求項１３】
前記管状部材（５）を、前記枢転取付部（４）の主軸に対して垂直に引き抜くことによって該管状部材を取り外し、該管状部材を前記支持部材の上を滑らせることによって再度取リ付けて枢転取付部を前記製紙機械の枠体に固定することを特徴とする、請求項１０〜１２のいずれか一項に記載の方法。
【請求項１４】
前記端部（８）の断面形状が、実質的に円形、楕円形、或いは三角形、四角形若しくは多角形等の多面形、又は実質的に平坦な形状であり、該端部の表面には、前記管状部材（５）の前記孔（７）に該端部（８）を留め付ける複数の溝が設けられていることを特徴とする、請求項１０〜１３のいずれか一項に記載の方法。
【発明の詳細な説明】
【技術分野】
【０００１】
本発明は、請求項１の前半部分の記載によるドクターブレード組立体における枢転取付部に関する。さらに、本発明は請求項１０による方法に関する。
【背景技術】
【０００２】
従来技術において、ドクターブレード組立体の単純化とその保守点検性の向上を目的とする装置が知られている。従来から、これらの構造体は、その大きな重量による制約を受けており、その結果として、枢転取付構造部の保守点検性が犠牲になってきた。特に製紙業界においては、生産の効率に関して機械の保守点検性が非常に重要であるので、このことが大きな欠点であることがよくあった。保守点検性及び汚れの除去において問題が生じると、製紙効率の低下、ペーパーウェブの品質の低下、さらに、場合によっては、製紙機械をより低速で運転する必要性としてその結果が現れてくる。これら全ては生産における損失発生の要因となる。
【０００３】
最先端の技術は、例えば、ドクターブレード組立体に対して発行された105577号フィンランド特許によって示されている。この特許公報は、固定された構造体を有する、正確に定められたＵ字形の取付台を有する態様で実施される枢転取付部を開示している。この構造体に、枢転取付部に適合する部材である支持ピンが挿入される。この支持ピンは、該支持ピンを前記Ｕ字形の取付台に挿入することを可能にする取付許容差を有する、角を丸めた側面形状を有している。支持ピンは、製紙機械枠体の固定された一体的な部材として含まれ、このようにして製紙機械の枠体上にドクターブレード組立体を支持する。
【先行技術文献】
【特許文献】
【０００４】
【特許文献１】フィンランド特許第105577号
【発明の概要】
【発明が解決しようとする課題】
【０００５】
本発明の目的は、請求項に記載の方法で、ドクターブレードの枢転取付に関する完全に新しいアプローチを提供することである。本発明のゴールは、保守点検性が大きく向上するようなドクターブレードの枢転取付法を開発することである。同時に、その機能性を犠牲にすることなく、該枢転取付法のためのより単純な構造体を提供することができる。
【課題を解決するための手段】
【０００６】
その単純化された構造故に、本発明による態様は、従来技術においてドクターブレードの枢転取付のために使用されてきたようなＵ字形の取付構造部材を必要としない。さらに、本発明は固定された枢転ピンの必要性を廃し、軸又は管状部材であって、該軸又は管状部材がほぼＣ形又は類似の形状になるように、溝又は斜角を付けた凹部等の孔を有する軸又は管状部材を有する、はるかに単純な構造部材を前記枢転ピンの代わりに採用する。
【０００７】
先に記載したように、本発明による態様は、前記管状部材が正確に大きさを定められたＵ字形の構造部材である必要は必ずしもない。本発明の概念は、枢転取付部が求める許容差の範囲内で前記管状部材が動くことができるように、一以上の半加工品を曲げる／組み合わせて、或いは成形して、前記管状部材を作ることによって十分に達成することができる。
【０００８】
具体的には、前記管状部材の前記Ｃ形の孔は、製紙機械の枠体に強固に固定されている適合性のある支持部材が、該管状部材の孔に好適に挟み込まれるように、より正確には、孔の上方面と下方面とによって形成されたＵリンク型の顎部へと挟み込まれるような大きさに定められる。製紙機械の枠体に固定されている支持部材を前記管状部材の孔によって形成された顎部に挿入することによって、該支持部材を、シールされていながら容易に取り外すことに出来る様態で、枢転取付部に組み入れることができる。メンテナンス操作中は、枢転取付部のシャフトに対して垂直な方向に管状部材を引き抜きさえすればよい。逆に、再組立に際しては、管状部材を前記枠体に固定されている支持部材の上を正確に滑らせれば、管状部材が製紙機械の枠体に取り付けられる。その結果、メンテナンスが簡便化され、枢転取付部を固定するのに螺子や他の追加的な固定要素の必要がなくなる。
【０００９】
管状部材が、螺子や他の追加的な要素によって、製紙機械の枠構造体に固定されておらず、管状部材が圧迫によって所定の位置に固定されているので、このような配置によって、枠体に取り付けられた支持部材にも、Ｃ形の管状部材の孔に適合する孔又は凹部等の面を設けることができるようになる。
【００１０】
本発明の非常に重要な特徴は、管状部材がそれだけで完全である構造体として機能し、製紙機械の枠体にドクターブレード組立体を支持する枠構造体の部分から単独で引き抜けることである。結果として、この管状部材を最初に抜き出して、次いで、製紙機械の枠体からドクターブレードを除去することができる。このようにして、枢転取付部の取り付け／取り外しが、従来技術の方法に比べて、大きく単純化される。
【００１１】
管状部材における孔の形状と大きさとは個々別々に選択され、さらに、管状部材は、金属、繊維強化複合体、重合体又はこのような材料のあらゆる組合せ等の様々な材料から選択することができる。
【００１２】
前記記載に従って、本発明は、ドクターブレード組立体の保守点検性に優れたドクターブレード組立体の枢転取付部の新規な構造に基づいてなされている。本発明による態様は、いくつかの重要な効果をもたらす。
【００１３】
より正確には、本発明は添付の請求項に開示されている事項によって特徴付けられる。
【００１４】
次に、添付の図面を参照して本発明を記載する。
【図面の簡単な説明】
【００１５】
【図１】ドクターブレード組立体の枢転取付部の主要な要素を示している。
【図２】前記枢転取付部の取り外し可能な軸の主要な特徴を示している。
【図３】前記枢転取付部の好適な一態様の主要な要素を示している。
【発明を実施するための形態】
【００１６】
製紙機械のドクターブレード組立体は、ドクターブレード１を保持するドクターブレード保持具２と、該製紙機械の枠体に取り付けられる支持部材３とを有している。ブレード保持具２と支持部材３とは、該ブレード保持具２及び支持部材３と協働する別体の枢転取付部４によって、該枢転取付部を外側に引くことによって取り外すことが出来るように接続される。
【００１７】
本発明による態様においては、枢転取付部４は、最も好ましくは、その１つの壁を機械加工して、溝又は斜角を付けた凹部等の孔を有するように開いた、軸、棒又は軸受筒等の管状部材５を有する。したがって、好適な一態様として記載されているように、枢転取付部４において機能する管状部材５は、最も好ましくは、実質的にＣ形の断面を有する中空体である。
【００１８】
枢転取付部４の管状部材５は、軸線がドクターブレード１に実質的に平行になるように前記ブレード保持具２に形成された空洞６に入れられる。この空洞６は、１つ又は複数部分の屈曲した形状が前記管状部材５を収容することのできる空洞を形成するように、１つの連続した部分からブレード保持具２の中に作り込まれるのが最も好ましい。
【００１９】
具体的には、製紙機械の枠体に取り付けられた支持部材３の端部８がＣ形の管状部材５の孔７に挿入される。このようにして、支持部材３が、製紙機械の枠体とは別体である枢転取付部４によってドクターブレード組立体が支持されるのを可能にする、製紙機械の一体型部品となる。
【００２０】
図１を参照すると、支持部材３の端部８が管状部材５の孔７に座するように、枢転取付部４のＣ形管状部材５の孔７の大きさが定められることが非常に重要である。支持部材が、前記孔の上方面と下方面との間に形成された顎部に挟み込まれるのが最も好ましい。より確実な挟み付けが望まれる場合は、枠体に取り付けられた支持部材３に、Ｃ形管状部材５に形成された孔に適合する、溝、凹部又は同様の斜角を付けた面を備えることもできる。
【００２１】
このように、枠体に取り付けられる支持部材３の端部８の形状は大きく変えることができる。好ましい一形状例としては、端部８が、実質的に円形である管状部材５の孔に適合する実質的に円形の断面、或いは楕円形の断面を有していて、嵌合部材として機能するようになっているものを挙げることができる。図２に示されているように、端部８の断面形状は多面形、例えば三角形、四角形又は多角形状であってもよい。ここにおいて、端部８が管状部材５の内側断面と確実に嵌合するように、即ち、雄−雌型の接続をなすように、嵌合部品である管状部材５の内側断面を、対応する実質的に相補的な形状にすることが非常に重要である。
【００２２】
先に記載したことに加えて、支持部材３の端部８の断面を、場合によっては複数の溝が形成された、実質的に平坦な形状とすることも可能である。溝の本数は、管状部材５の孔７に嵌合する形状を有する１以上であればよい。このようにして、複数の様々な方法で、例えば、その断面が実質的に歯を有する形状、又は鳩尾形に、孔７を形作ることができる。このように、本発明によると、端部８と管状部材５の孔７との形状は、所望に応じて変化させることができる。絶対に必要な要件は、管状部材５の外面が空洞６に実質的に適合するように、管状部材５の内面が端部８に適合するように、それぞれなっていることである。
【００２３】
図３に示されているように、支持部材３の端部８は、管状部材５の孔７に適合するように設計された別体の複数の挿入部材９で置き換えることもできる。この代替態様においては、管状部材５が不規則な形状をした挿入部材９上をスライドして枢転点を形成するように、枢転取付部が作られる。最も好ましくは、これらの挿入部材９は、管状部材５の内部形状に適合するように成形された、支持部材３に取り付けられる螺子等の要素である。螺子の数は個々別々に選択されるが、少なくとも２つの螺子が必要である。管状部材５を支持するために、好ましくは等間隔で配置された、より多くの数の螺子が使用されるとさらに好適である。
【００２４】
前記組立体に加えて、本発明は、製紙機械のドクターブレード組立体の保守点検性を向上させる方法にも関する。当該方法は、ブレード保持具２に取り付けられたドクターブレード１と、製紙機械の枠体に取り付けられた支持部材３とを利用する。本発明の方法の非常に重要な特徴は、ブレード保持具２と支持部材３との間に、引くことによって支持部材から取り外すことが出来るように、支持部材３に合わせて別体の枢転取付部４を作ることである。
【００２５】
本発明による方法の更なる特徴は、その軸線がドクターブレード１に実質的に平行になるように、枢転取付部４の管状部材５がブレード保持具２に形成された空洞６の中に入れられることである。製紙機械の枠体に取り付けられる支持部材３の端部８は、Ｃ形管状部材５の孔７に挿入される。具体的には、製紙機械の枠体に取り付けられる支持部材３の端部８がＣ形管状部材５の孔７に挿入されると、支持部材３が、製紙機械の枠体とは別体である枢転取付部４によってドクターブレード組立体が支持されるのを可能にする、製紙機械の一体型部品となる。
【００２６】
本発明が前記好適な例に限定されず、添付の請求項に記載の発明の精神及び範囲内で変えることができることは、当業者には明らかである。
【図１】
2010242283.tif 000003
【図２】
2010242283.tif 000004
【図３】
2010242283.tif 000005
【外国語明細書】
2010242283.tif 000006
2010242283.tif 000007
2010242283.tif 000008
2010242283.tif 000009
2010242283.tif 000010
2010242283.tif 000011
2010242283.tif 000012
2010242283.tif 000013
2010242283.tif 000014
2010242283.tif 000015
2010242283.tif 000016
2010242283.tif 000017
2010242283.tif 000018